【手続補正書】
【提出日】平成15年9月29日(2003.9.29)
【手続補正１】
【補正対象書類名】特許請求の範囲
【補正対象項目名】全文
【補正方法】変更
【補正の内容】
【特許請求の範囲】
【請求項１】
入力された音声に基づいて、表示画面上に表示された入力項目に対する処理を実行する情報処理装置であって、
前記入力項目に関する入力項目情報を記憶する記憶部と、
前記入力された音声を認識する音声認識部と、
前記音声認識部の音声認識結果に対応する入力項目情報を選択する選択部と
を備えることを特徴とする情報処理装置。
【請求項２】
前記選択部で選択された入力項目情報に対応する入力項目の表示形態を制御する表示制御部を更に備える、
ことを特徴とする請求項１に記載の情報処理装置。
【請求項３】
前記入力項目情報は、前記入力項目の入力項目名を含む
ことを特徴とする請求項１に記載の情報処理装置。
【請求項４】
前記入力項目情報は、前記入力項目の位置を示す配置情報を含む
ことを特徴とする請求項１に記載の情報処理装置。
【請求項５】
前記表示制御部は、前記選択部で選択された入力項目情報に対応する入力項目を、それ以外の入力項目の第１表示形態とは異なる第２表示形態で表示する
ことを特徴とする請求項１に記載の情報処理装置。
【請求項６】
前記表示制御部は、前記選択部で選択された入力項目情報に対応する入力項目を前記表示画面上の中央部分に表示する
ことを特徴とする請求項１に記載の情報処理装置。
【請求項７】
前記選択部による選択が確定した場合、その旨を報知する報知部と
を更に備えることを特徴とする請求項１に記載の情報処理装置。
【請求項８】
前記入力項目情報は、前記入力項目の入力項目名及び該入力項目の位置を示す配置情報を含み、
前記音声認識部の音声認識結果が、前記入力項目名あるいは前記配置情報のどちらに対応するかを判定する判定部と、
前記選択部は、前記判定部の判定結果に基づいて、前記音声認識部の音声認識結果に対応する入力項目情報を選択する
ことを特徴とする請求項１に記載の情報処理装置。
【請求項９】
前記入力項目情報は、前記入力項目の位置を示す配置情報を含み、
前記音声認識部は、前記配置情報を特定するための音声を認識するための音声認識文法データを用いて、前記入力された音声を認識する
ことを特徴とする請求項１に記載の情報処理装置。
【請求項１０】
前記音声認識文法データは、前記入力項目の相対的な位置を示す相対位置表現及び絶対的な位置を示す絶対位置表現の少なくとも一方を認識するためのデータを含む
ことを特徴とする請求項９に記載の情報処理装置。
【請求項１１】
前記音声認識文法データは、前記絶対位置表現が前記入力項目を含むコンテンツ全体あるいは前記表示画面上の表示範囲に対するものであるかを認識するためデータを含む
ことを特徴とする請求項９に記載の情報処理装置。
【請求項１２】
前記入力項目がハイパーテキスト文書で実現されている場合、前記入力項目情報は、該入力項目を示すタグを含む
ことを特徴とする請求項１に記載の情報処理装置。
【請求項１３】
前記ハイパーテキスト文書には、前記音声認識部による音声認識を実行するためのタグが記述されている
ことを特徴とする請求項１２に記載の情報処理装置。
【請求項１４】
入力された音声に基づいて、表示画面上に表示された入力項目に対する処理を実行する情報処理方法であって、
前記入力された音声を認識する音声認識工程と、
前記音声認識工程の音声認識結果に対応する、前記入力項目に関する入力項目情報を選択する選択工程と
を備えることを特徴とする情報処理方法。
【請求項１５】
前記選択工程で選択された入力項目情報に対応する入力項目の表示形態を制御する表示制御工程を更に備える
ことを特徴とする請求項１４に記載の情報処理方法。
【請求項１６】
前記入力項目情報は、前記入力項目の入力項目名を含む
ことを特徴とする請求項１４に記載の情報処理方法。
【請求項１７】
前記入力項目情報は、前記入力項目の位置を示す配置情報を含む
ことを特徴とする請求項１４に記載の情報処理方法。
【請求項１８】
前記表示制御工程は、前記選択工程で選択された入力項目情報に対応する入力項目を、それ以外の入力項目の第１表示形態とは異なる第２表示形態で表示する
ことを特徴とする請求項１４に記載の情報処理方法。
【請求項１９】
前記表示制御工程は、前記選択工程で選択された入力項目情報に対応する入力項目を前記表示画面上の中央部分に表示する
ことを特徴とする請求項１４に記載の情報処理方法。
【請求項２０】
前記選択工程による選択が確定した場合、その旨を報知する報知工程と
を更に備えることを特徴とする請求項１４に記載の情報処理方法。
【請求項２１】
前記入力項目情報は、前記入力項目の入力項目名及び該入力項目の位置を示す配置情報を含み、
前記音声認識工程の音声認識結果が、前記入力項目名あるいは前記配置情報のどちらに対応するかを判定する判定工程と、
前記選択工程は、前記判定工程の判定結果に基づいて、前記音声認識工程の音声認識結果に対応する入力項目情報を選択する
ことを特徴とする請求項１４に記載の情報処理方法。
【請求項２２】
前記入力項目情報は、前記入力項目の位置を示す配置情報を含み、
前記音声認識工程は、前記配置情報を特定するための音声を認識するための音声認識文法データを用いて、前記入力された音声を認識する
ことを特徴とする請求項１４に記載の情報処理方法。
【請求項２３】
前記音声認識文法データは、前記入力項目の相対的な位置を示す相対位置表現及び絶対的な位置を示す絶対位置表現の少なくとも一方を認識するためのデータを含む
ことを特徴とする請求項２２に記載の情報処理方法。
【請求項２４】
前記音声認識文法データは、前記絶対位置表現が前記入力項目を含むコンテンツ全体あるいは前記表示画面上の表示範囲に対するものであるかを認識するためデータを含む
ことを特徴とする請求項２２に記載の情報処理方法。
【請求項２５】
前記入力項目がハイパーテキスト文書で実現されている場合、前記入力項目情報は、該入力項目を示すタグを含む
ことを特徴とする請求項１４に記載の情報処理方法。
【請求項２６】
前記ハイパーテキスト文書には、前記音声認識工程による音声認識を実行するためのタグが記述されている
ことを特徴とする請求項２５に記載の情報処理方法。
【請求項２７】
入力された音声に基づいて、表示画面上に表示された入力項目に対する処理を実行する情報処理をコンピュータに機能させるためのプログラムであって、
前記入力された音声を認識する音声認識工程のプログラムコードと、
前記音声認識工程の音声認識結果に対応する、前記入力項目に関する入力項目情報を選択する選択工程のプログラムコードと
を備えることを特徴とするプログラム。
【請求項２８】
入力された音声に基づいて、表示画面上に表示された入力項目に対する処理を実行する情報処理装置であって、
前記入力項目に関する入力項目情報を記憶する記憶部と、
前記入力された音声を認識する音声認識部と、
前記音声認識部の音声認識結果に対応する入力項目情報を選択する選択部と
を備えることを特徴とする情報処理装置。
【請求項２９】
入力された音声に基づいて、表示画面上に表示された入力項目に対する処理を実行する情報処理装置であって、
前記入力された音声を認識する音声認識手段と、
前記音声認識手段による音声認識結果が入力項目の選択であるか否かを判定する判定部と、
前記判定手段によって前記入力項目の選択であると判定された場合、前記音声認識結果に対応する入力項目を選択する選択手段と、
前記判定手段によって前記入力項目の選択でないと判定された場合、選択されている入力項目に前記音声認識結果を表示する表示手段と
を備えることを特徴とする情報処理装置。
【請求項３０】
入力された音声に基づいて、表示画面上に表示された入力項目に対する処理を実行する情報処理方法であって、
前記入力された音声を認識する音声認識工程と、
前記音声認識工程による音声認識結果が入力項目の選択であるか否かを判定する判定工程と、
前記判定工程によって前記入力項目の選択であると判定された場合、前記音声認識結果に対応する入力項目を選択する選択工程と、
前記判定工程によって前記入力項目の選択でないと判定された場合、選択されている入力項目に前記音声認識結果を表示する表示工程と
を備えることを特徴とする情報処理方法。
【請求項３１】
入力された音声に基づいて、表示画面上に表示された入力項目に対する処理を実行する情報処理をコンピュータに機能させるためのプログラムであって、
前記入力された音声を認識する音声認識工程のプログラムコードと、
前記音声認識工程による音声認識結果が入力項目の選択であるか否かを判定する判定工程のプログラムコードと、
前記判定工程によって前記入力項目の選択であると判定された場合、前記音声認識結果に対応する入力項目を選択する選択工程のプログラムコードと、
前記判定工程によって前記入力項目の選択でないと判定された場合、選択されている入力項目に前記音声認識結果を表示する表示工程のプログラムコードと
を備えることを特徴とするプログラム。
【請求項３２】
入力された音声に基づいて、表示画面上に表示された入力項目に対する処理を実行する情報処理装置であって、
前記入力された音声を認識する音声認識部と、
前記音声認識部による音声認識結果が入力項目の選択であるか否かを判定する判定部と、
前記判定部によって前記入力項目の選択であると判定された場合、前記音声認識結果に対応する入力項目を選択する選択部と、
前記判定部によって前記入力項目の選択でないと判定された場合、選択されている入力項目に前記音声認識結果を表示する表示部と
を備えることを特徴とする情報処理装置。